(57)【要約】      （修正有）【課題】筆記用具を収納するペン立てにおいて、使用時は引伸ばして用いることができる伸縮棒体立てを提供する。【解決手段】径の異なる３つの筒体１，２，３からなり、最下部の第１の筒体１の内部１０に、その内径と略同径の外径を有する第２の筒体２を可動状態で挿入し、さらに第２の筒体２の内部１１に、その内径と略同径の外径を有する第３の筒体３を可動状態で挿入した構成である。各筒体１，２，３は、伸ばした状態をフランジ４１，４２に設けた固定手段により保持できるように構成する。筆記具を筒体１，２，３に立てても、上側または下側の筒体１，２，３に入れた文房具と混在することがなくなるから、各筆記具を認識しやすく且つ取りやすい。【選択図】図２
0003150967.tif 000002
【実用新案登録請求の範囲】
【請求項１】
径の異なる複数の筒体からなり、
一つの筒体の中にその筒体の内径より小さい外径をもつ筒体を可動状態で挿入し、一つの筒体の下部と挿入されている筒体の上部とを仮固定する仮固定手段を有し、
少なくとも一つの筒体の側面には、有底空間が形成されると共に筒の軸方向上方に開口され且つ当該空間は壁により周方向に複数に分割されていることを特徴とする伸縮棒体立て。
【請求項２】
前記仮固定手段は、
一方の筒体に設けられ、その内部に側方穴を有する穴と、
他方の筒体に設けられ、前記穴に挿入し得ると共に鍵状部分が前記側方穴に挿入し得る鍵状突起と、
からなることを特徴とする請求項１に記載の伸縮棒体立て。
【請求項３】
最小の外径をもつ筒体の軸方向中央には、筒の軸方向上方に開口された中央有底空間が形成され、その周囲に前記壁により周方向に複数に分割された有底空間が形成されていることを特徴とする請求項１又は２に記載の伸縮棒体立て。
【請求項４】
更に、最小の外径をもつ筒体の上部に取っ手が設けられていることを特徴とする請求項１〜３のいずれか一つに記載の伸縮棒体立て。
【請求項５】
更に、前記可動状態で挿入される筒体の上部にフランジ状の蓋を設けたことを特徴とする請求項１〜４のいずれか一つに記載の伸縮棒体立て。
【請求項６】
更に、前記可動状態で挿入される筒体の高さ方向の一部に、その筒体を挿入する筒体に対して係止する係止手段を設けたことを特徴とする請求項１〜５のいずれか一つに記載の伸縮棒体立て。
【請求項７】
更に、前記壁は、筒体の外側壁または内側壁との間に隙間を有することを特徴とする請求項１〜６のいずれか一つに記載の伸縮棒体立て。
【考案の詳細な説明】
【技術分野】
【０００１】
本考案は、使用時に引き伸ばして用いることができる伸縮棒体立てに関するものである。
【背景技術】
【０００２】
従来から様々なペン立てが提案されている。例えば、特許文献１に開示されたペン立ては、箱型であって、その収納空間に様々な筆記用具を収納するものである。
【先行技術文献】
【特許文献】
【０００３】
【特許文献１】特開２００１−１５０８６９号公報
【考案の概要】
【考案が解決しようとする課題】
【０００４】
しかしながら、様々な種類の筆記用具を同じペン立てに入れると、どのような筆記具が入れてあるのかすぐに把握できないばかりか、取り出すときに他の筆記具が邪魔になって取り出しにくい。特に、デザイン事務所のように頻繁に筆記具を取り換えながら仕事をする場合、大変な不便となる。一方、机上スペースには限界があるので、ペン立てにスペースをとられたくない。本考案は、このような課題を解決するためになされたものである。
【課題を解決するための手段】
【０００５】
本考案の伸縮棒体立ては、径の異なる複数の筒体からなり、一つの筒体の中にその筒体の内径より小さい外径をもつ筒体を可動状態で挿入し、一つの筒体の下部と挿入されている筒体の上部とを仮固定する仮固定手段を有し、少なくとも一つの筒体の側面には、有底空間が形成されると共に筒の軸方向上方に開口され且つ当該空間は壁により周方向に複数に分割されていることを特徴とする。
【０００６】
また、本考案の伸縮棒体立ては、上記考案において、前記仮固定手段は、一方の筒体に設けられ、その内部に側方穴を有する穴と、他方の筒体に設けられ、前記穴に挿入し得ると共に鍵状部分が前記側方穴に挿入し得る鍵状突起とからなることを特徴とする。
【０００７】
また、本考案の伸縮棒体立ては、上記考案において、最小の外径をもつ筒体の軸方向中央には、筒の軸方向上方に開口された中央有底空間が形成され、その周囲に前記壁により周方向に複数に分割された有底空間が形成されていることを特徴とする。
【０００８】
また、本考案の伸縮棒体立ては、上記考案において、更に、最小の外径をもつ筒体の上部に取っ手が設けられていることを特徴とする。
【０００９】
また、本考案の伸縮棒体立ては、上記考案において、更に、前記可動状態で挿入される筒体の上部にフランジ状の蓋を設けたことを特徴とする。
【００１０】
また、本考案の伸縮棒体立ては、上記考案において、更に、前記可動状態で挿入される筒体の高さ方向の一部に、その筒体を挿入する筒体に対して係止する係止手段を設けたことを特徴とする。更に、前記壁は、筒体の外側壁または内側壁との間に隙間を有することを特徴とする。
【図面の簡単な説明】
【００１１】
【図１】この考案の実施の形態１にかかる伸縮ペン立てを示す斜視図である。
【図２】図１に示した伸縮ペン立てを示断面図である。
【図３】図１に示した伸縮ペン立てを縮めた状態を示す斜視図である。
【図４】図１に示した伸縮ペン立てを縮めた状態を示す断面図である。
【図５】仮固定手段を示す構成図である。
【図６】この伸縮ペン立てを伸ばすときの動作を示す説明図である。
【図７】この考案の実施の形態２にかかる伸縮ペン立てを示す斜視図である。
【図８】この考案の実施の形態３にかかる伸縮ペン立てを示す断面図である。
【図９】この考案の実施の形態３にかかる伸縮ペン立てを示す斜視図である。
【考案を実施するための形態】
【００１２】
図１は、この考案の実施の形態１にかかる伸縮ペン立てを示す斜視図である。図２は、図１に示した伸縮ペン立てを示断面図である。図３は、図１に示した伸縮ペン立てを縮めた状態を示す斜視図である。図４は、図１に示した伸縮ペン立てを縮めた状態を示す断面図である。この伸縮ペン立て１００は、径の異なる３つの筒体１，２，３からなり、最下部の第１の筒体１の内部１０に、その内径と略同径の外径を有する第２の筒体２を可動状態で挿入し、さらに第２の筒体２の内部１１に、その内径と略同径の外径を有する第３の筒体３を可動状態で挿入した構成である。各筒体１，２，３は、円筒状の外側壁２１，２２，２３と内側壁２４，２５，２６との間に底２７，２８，２９を有する空間３１，３２，３３を有し、この空間３１，３２，３３は上方に開口されており、筒軸方向の複数の壁３４，３５，３６により周方向に均等に分割されている。
【００１３】
最上部の第３の筒体３の内側壁２６の内側は底２９を有する空間３７が形成され、当該底２９には、棒状のハンドル３８が設けられている。ハンドル３８の上端は、第３の筒体３の上側に突出しており、その先端にはつまみ３９が設けられている。また、各筒体１，２，３の高さは、１０ｃｍ程度である。
【００１４】
第１の筒体１に対して第２の筒体２は上下方向に可動であり、第１の筒体１の内側上部には、内側にフランジ４１が形成されている。一方、第２の筒体２の外側下部には、外側にフランジ４２が形成されている。第２の筒体２が第１の筒体１の内部に可動状態で挿入されているが、第２の筒体２を上方に移動すると、当該第２の筒体２のフランジ４２が第１の筒体１のフランジ４１に干渉して、第２の筒体２が第１の筒体１から抜けない。また、両フランジ４１，４２には、第２の筒体２を上位置で固定する仮固定手段５０が設けられている。
【００１５】
この仮固定手段５０は、図５に示すように、第１の筒体１のフランジ４１の下面に設けられ且つ内部に側方穴５１を有する穴５２と、第２の筒体２のフランジ４２の上面に設けられ且つ前記穴５２に挿入し得ると共に鍵状部分５３が前記側方穴５１に挿入し得る鍵状突起５４と、から構成される。仮固定手段５０は、鍵状突起５４を穴５２に挿入し、当該穴５２を第１の筒体１のフランジ４１と共に回転させて鍵状部分５３を側方穴５１に挿入することで、鍵状突起５３と穴５１とを係合する。これにより、上下方向の筒体１，２同士の動きが規制される。また、前記第１の筒体１を反対方向に回転させると、鍵状部分５３が側方穴５１から抜け、鍵状突起５４と穴５２との係合が解かれる。これにより、第１の筒体１の内部に第２の筒体２を挿入できるようになる。筒体１，２同士は、フランジ４２の内側壁２４の面に対して一定の摩擦力を持って挿入されている。
【００１６】
上記同様に、第２の筒体２に対して第３の筒体３は上下方向に可動であり、第２の筒体２の内側上部には、内側にフランジ４３が形成されている。一方、第３の筒体３の外側下部には、外側にフランジ４４が形成されている。第３の筒体３が第２の筒体２の内部に可動状態で挿入されているが、第３の筒体３を上方に移動すると、当該第３の筒体３のフランジ４４が第２の筒体２のフランジ４３に干渉して、第３の筒体３が第２の筒体２から抜けないようになっている。また、両フランジ４３，４４には、第３の筒体３を上位置で固定する仮固定手段５０が設けられている。この仮固定手段５０は、図５に示したように、第２の筒体２のフランジ４３の下面に設けられ且つ内部に側方穴５１を有する穴５２と、第３の筒体３のフランジ４４の上面に設けられ且つ前記穴５２に挿入し得ると共に鍵状部分５３が前記側方穴５１に挿入し得る鍵状突起５４と、から構成される。
【００１７】
仮固定手段５０は、鍵状突起５３を穴５１に挿入し、当該鍵状突起５４を第２の筒体２のフランジ４３と共に回転させて鍵状部分５３を側方穴５１に挿入することで、鍵状突起５４と穴５２とを係合する。これにより、上下方向の筒体２，３同士の動きが規制される。また、前記第２の筒体２を反対方向に回転させると、鍵状部分５３が側方穴５１から抜け、鍵状突起５４と穴５２との係合が解かれる。これにより、第２の筒体２の内部に第３の筒体３を挿入できるようになる。筒体２，３同士は、フランジ４４の内側壁２５の面に対して一定の摩擦力を持って挿入されている。
【００１８】
図３及び図４に示すように、仮固定手段５０により筒体１，２，３同士の係合を解くと、第３の筒体３が第２の筒体２の内部１１に、第２の筒体２が第１の筒体１の内部１０に挿入収納される。筒体２，３のフランジ４２，４４は筒体１，２の内側壁２４，２５の面に一定の摩擦力を持って当接しているから、当該ハンドル３８を持ち上げても、各筒体２，３は当該挿入状態を保持する。これにより、この伸縮ペン立て１００がコンパクトになるので、取り扱いや収納に便利である。なお、この伸縮ペン立て１００は、伸ばした状態でも縮めた状態でも前記分割された空間３１，３２，３３にペン等の筆記用具を立てることができる。
【００１９】
図６は、この伸縮ペン立てを伸ばすときの動作を示す説明図である。各筒体１，２，３は互いに摩擦力により縮んだ状態を保持しているが（同図（ａ）参照）、同図に示すように、ハンドル３８を持って勢い良く下方に振り下ろすと、各筒体１，２の自重に基づく慣性力が摩擦力を上回って、第１及び第２の筒体１，２が下方に移動し、各フランジ４１，４２，４３，４４同士の干渉により最大伸縮位置で止まる（同図（ｂ）参照）。
【００２０】
そして、ユーザは、ハンドル３８を持って第２の筒体２を回転させて前記仮固定手段５０により第３の筒体３に対して係合固定し、続いて、第１の筒体１を回転させて前記仮固定手段５０により第２の筒体２に対して係合固定する。これにより、伸縮ペン立て１００が伸縮状態で保持される。
【００２１】
ここで、各筒体１，２，３の高さは１０ｃｍであるから、例えば第１の筒体１の分割空間３１に鉛筆を立てると、鉛筆の長さは略２０ｃｍであるから、第２の筒体２の上端から上に当該鉛筆が飛び出ることがない。すなわち、筆記具のうちで一番長い鉛筆を分割空間３１に立てても、第２の筒体２に立てた文房具と混在することがなくなるから、第１の筒体１に立てた筆記具を認識しやすく且つ取りやすい。これは、第２の筒体２と第３の筒体３との関係においても同様である。また、第３の筒体３の中央は空間３７になっているので、はさみ等のかさばる文具を入れるようにするのが好ましい。なお、各筒体１，２，３の高さは１０ｃｍに限定されない。上記観点から、各筒体１，２，３の高さは８ｃｍ以上１２ｃｍ以下にするのが好ましい。
【００２２】
（実施の形態２）
図７は、この考案の実施の形態２にかかる伸縮ペン立てを示す斜視図である。この伸縮ペン立て２００は、筒体２，３の上端部にフランジ形状あるいはドーナッツ形状の蓋６２，６３を設けた点に特徴がある。その他の構成は、実施の形態１に記載の伸縮ペン立て１００と同じであるから、その説明を省略する。この蓋６２，６３は、径方向の幅が筒体１，２上部の空間３１，３２と同じ幅であるため、伸縮ペン立て１００を縮めたときに、前記空間３１，３２が蓋６２，６３により閉じられる（図示省略）。このようにすれば、伸縮ペン立て２００を縮めたときに空間３１，３２内にごみが入らない。
【００２３】
（実施の形態３）
図８は、この考案の実施の形態３にかかる伸縮ペン立てを示す断面図である。この伸縮ペン立て３００は、実施の形態１にかかる伸縮ペン立て１００と略同じ構成であるが、第２の筒体２及び第３の筒体３の外側壁２２，２３であって高さ方向の中央に係止装置７０を設けた点に特徴がある。その他の構成は、実施の形態１に記載の伸縮ペン立て１００と同じであるから、その説明を省略する。
【００２４】
係止装置７０は、楔形状のストッパ７１の上端を回動自在とし、このストッパ７１の上部にレバー７２を上方斜めに設けた構成である。レバー７２の上端はさらに反対側斜め上方に曲がっている（曲げ部７３）。通常の状態では、レバー７２の自重によりストッパ７１が外側壁２２，２３の面の内側に入っている。このため、第２の筒体２及び第３の筒体３を挿入する際、当該ストッパ７１は挿入側の筒体１，２に干渉しない。続いて、レバー７２が挿入側の筒体１，２に干渉するが、このレバー７２は外側壁２２，２３の内側に回転して逃げるので、当該筒体２，３をそのまま挿入できる。一方、筒体２，３を挿入している筒体１，２から出すときは、レバー７２の曲げ部７３が筒体１，２の上部と干渉して中に入り、レバー７２が外に出たら今度はストッパ７１が中に入るので、当該筒体２，３をそのまま外に引き出すことができる。
【００２５】
この伸縮ペン立て３００は、上記のようにフランジ４１〜４４に設けた仮固定手段５０により伸ばした状態を保持できるが、当該係止装置７０によって第２の筒体２及び第３の筒体３の引き出し量を調整できる。すなわち、第１の筒体１と第２の筒体２との仮固定を解除し、第２の筒体２を第１の筒体１に挿入する際、前記レバー７２を押すと、前記ストッパ７１が外側壁から出て、第１の筒体１の上端に係止する。これにより、第２の筒体２は第１の筒体１に完全に挿入されず、約半分だけが挿入されることになる。第２の筒体２の高さは１０ｃｍであるから、第２の筒体２は第１の筒体１から５ｃｍ程度出た状態で保持される。同様に、第３の筒体３に設けた係止装置７０により、第３の筒体３を第２の筒体２に対して半分程度だけ挿入してその状態を保持できる。
【００２６】
以上のようにすれば、伸縮ペン立て３００の高さを自由に調整することができる。例えば、置き場の高さが不足している場合や、長くない筆記具を立てる場合などに便利である。
【００２７】
（実施の形態４）
図９は、この考案の実施の形態４にかかる伸縮ペン立てを示す断面図である。この伸縮ペン立て４００は、実施の形態１にかかる伸縮ペン立て１００と略同じ構成であるが、第１から第３の筒体１，２，３の外側壁２１，２２，２３と筒軸方向の複数の壁４３４，４３５，４３６との間に隙間４３７，４３８，４３９を設けた点に特徴がある。その他の構成は、実施の形態１に記載の伸縮ペン立て１００と同じであるから、その説明を省略する。
【００２８】
このように、外側壁２１，２２，２３と壁４３４，４３５，４３６との間に隙間４３７，４３８，４３９を設けることで、壁４３４，４３５，４３６により分割された空間に筆記具を入れやすくなる。即ち、壁４３４，４３５，４３６により空間がある程度分割されるので、筆記具を立て易く、その一方で隙間４３７，４３８，４３９を設けることにより、一つの略分割された空間に対して筆記具をより多く入れることができるようになる。
【００２９】
なお、本考案の伸縮棒体立て１００〜４００には、筆記具のみならず、箸や工具等の棒状のものを立てることができる。
【符号の説明】
【００３０】
１００  伸縮ペン立て
１，２，３  筒体
３１，３２，３３  空間
３８  ハンドル
５０  仮固定手段
【図１】
0003150967.tif 000003
【図２】
0003150967.tif 000004
【図３】
0003150967.tif 000005
【図４】
0003150967.tif 000006
【図５】
0003150967.tif 000007
【図６】
0003150967.tif 000008
【図７】
0003150967.tif 000009
【図８】
0003150967.tif 000010
【図９】
0003150967.tif 000011